(57)【要約】【課題】  引出したベルトの収納時に際し、ベルトが跳ねて係止具がカバーに激突して損傷することがあった。また、ベルトがカバーの開口部縁に接触して摩耗も激しいものであった。【解決手段】  ベルト巻取機６のドラム３側壁にブレーキシュー８を設け、ベルト２巻込みの際、巻取バネ４により高速で回転するドラム３の遠心力によりブレーキシュー８が回動し、カバー１に内設したリング９の内側面91に摺接し、ドラム３の回転速度を減速させてベルト２の跳ねを防止し、係止具10とカバー１の激突による損傷を防止すると共に、ベルト２がカバー１の開口部縁11での摩耗を防止するものである。【選択図】        図１
2006280739.tif 000002
【特許請求の範囲】
【請求項１】
カバー１内部にベルト２を巻取り収納するドラム３を回動自在に配し、該ドラム３にベルト２基端部を取り付け、該ドラム３に巻取バネ４を配して常時ベルト２を巻取り収納し、該ドラム３の側壁に係止爪31を設け、高速でベルト２が引出される時に、遠心力により係止爪31が回動し、カバー１に設けたストッパー５に係止し、ドラム３の回転を阻止し、ベルト２の引出しを停止するベルト巻取機６において、ドラム３の側壁にライニング７を備えたブレーキシュー８を回動自在に設け、引き出したベルト２の収納時、巻取バネ４によりドラム３が高速で回転し、遠心力によりブレーキシュー８が回動し、ブレーキシュー８のライニング７がカバー１に設けたリング９内側面91に摺接し、ドラム３の回転速度を減速させる巻き戻し時のブレーキ構造を有することを特徴とするベルト巻取機。
【発明の詳細な説明】
【技術分野】
【０００１】
本願は、主に中継給油所等で、タンクローリーに給油・点検する際に、作業者の転落事故防止と爆発事故防止を考慮した墜落防止装置に採用されたベルト巻取機に関するものである。
【背景技術】
【０００２】
以前より中継給油所等で、タンクローリーに給油・点検する際に、作業者の転落事故防止と爆発事故防止を考慮した墜落防止装置としては、特開２００４−９７５６２号公報で開示したものがある。
この墜落防止装置を形成する器具として、ベルト巻取機がある。
このベルト巻取機は、常時巻取バネによりベルトを引っ張っており、余分なベルトが垂れ下がること無く、作業者の移動に追随するものである。
よって、落下した際はベルトが急激に繰り出されることによりドラムが回転し、その時係止爪が遠心力によって回動し、ストッパーに係止してドラムの回転を阻止し、ベルトの繰り出しを停止するものであり、最小限の落下距離で高所作業者の墜落を防止し、落下衝撃荷重が小さく作業者が受ける障害も小さなものであり、市場に受け入れられ中継給油所で採用されているものである。
【０００３】
しかしながら、作業後に、ベルト先端部に設けた係止具を高所作業者が装着した安全帯の連結用リングより外し、ゆっくりと引き寄せロープを掴んで滑らせながらベルトを巻き込み収納すればよいのであるが、係止具を放してしまい巻取バネの勢いでベルトが巻き込まれ、この時にベルトが跳ねて係止具がカバーに衝突し、カバー・係止具の両方が変形したり、ベルトが跳ねるためにカバーの開口部縁に擦れてベルトの摩耗も大きいものである。
【特許文献１】特開２００４−９７５６２号公報
【発明の開示】
【発明が解決しようとする課題】
【０００４】
前記したように、ベルト巻取機の収納時に際し、ベルトが跳ねずベルト・カバー・係止具に損傷を与えることなく収納することを目的とするものである。
【課題を解決するための手段】
【０００５】
よって、本願では、ベルトの巻取収納時の際、巻取バネにより高速で回転するドラムの側壁にブレーキシューを設け、回転時の遠心力により回動し、カバーに内設したリングの内側面にブレーキシューのライニングが摺接して、ドラムの回転速度を減速させてベルト・カバー・係止具の損傷を防止しするものである。
【発明の効果】
【０００６】
以上のように本願は、ブレーキシュー８を設けることにより、ドラム３の回転速度を減速し、ベルトと、ベルト先端の係止具が跳ねることがなく、ベルト・カバー・係止具に損傷を与えることがなくなった。
また、本願は、減速に際し音を発生することがなく静かである。
また、収納時に損傷を与えることがなくなったため、長期の使用が可能であると共に、故障修理が減少した。
【実施例】
【０００７】
本願の実施例を詳記すると、
カバー１内部にベルト２を巻取り収納するドラム３を回動自在に配し、該ドラム３にベルト２基端部を取り付け、該ドラム３に巻取バネ４を配して常時ベルト２を巻取り収納し、該ドラム３の側壁に係止爪31を設け、高速でベルト２が引出される時に、遠心力により係止爪31が回動し、カバー１に内設したストッパー５に係止し、ドラム３の回転を阻止し、ベルト２の引出しを停止するベルト巻取機６において、ドラム３の側壁にライニング７を備えたブレーキシュー８を回動自在に軸81止めして設け、引き出したベルト２の収納時、巻取バネ４によりドラム３が高速で回転し、遠心力によりブレーキシュー８が回動し、ブレーキシュー８のライニング７がカバー１に内設したリング９の内側面91に摺接し、ドラム３の回転速度を減速させる巻き戻し時のブレーキ構造を有するものである。
【０００８】
ベルト巻取機６は、合成繊維製の細幅織りベルト２をドラム３に巻き取ったものであり、ドラム３に巻取バネ４を配して、常時ベルト２に巻取り力を附勢したものであり、余分なベルト２が垂れ下がること無く、作業者の移動に追随するものである。
【０００９】
また、ドラム３には、係止爪31が取付けられており急激にベルト２を引き出すとドラム３が急回転し、遠心力によって係止爪31が回動し、カバー１に内設したストッパー５と当接して、ドラム３の回転を阻止し、それ以上の細幅織りベルト２の繰出しを停止するものである。よって、落下距離が短く作業者に与える衝撃荷重も小さいものである。
【００１０】
ブレーキシュー８は、図１に示すように、ドラム３側壁に回動自在に設け、ライニング７がリング９内側面91に摺接することでドラム３の回転にブレーキを掛け、ドラム３の回転速度を減速させることができる。
ブレーキシュー８は、バネケース41周囲のほぼ四分の一の大きさとし、錘としての重量を確保し、ライニング７を軸81に近い位置に配置し、倍力機能を生かしブレーキ力を確保したものである。
【００１１】
本願のベルト巻取機を採用した墜落防止装置の使用方法を説明する。
本願のベルト巻取機は、図３，４に示すように、中継給油所のタンクローリー停止位置上部の屋根鋼材等の構造物に、筒状体の下面長さ方向に連続して開口するガイド溝を配した水平レールＲをレール把持金具によって固定配置し、ガイド溝内を自在に移動する移動部材Ｈの環部に、吊下げるものである。
【００１２】
ベルト巻取機６の上部と移動部材Ｈの環部には、より戻し金具により連結したものであり、ベルト２の捻れを防止したものである。
ベルト巻取機６のベルト２先端の係止具10（図示したものはカラビナ）には、細い引き寄せロープ（図示せず）が連結されていて、作業者が作業開始時にこの引き寄せロープを引っ張ってベルト２先端の係止具10を手元に引き寄せ、作業者が装着する安全帯の連結用リングに係止するものである。
【００１３】
よって、作業中万が一にもタンクローリーより転落したならばベルト巻取機６の細幅織りベルト２が急激に引っ張られることによりドラム３が回転し、内蔵した係止爪31が遠心力によって回動し、ストッパー５に係止してドラム３の回転を阻止し、ベルト２の繰り出しを停止し、最小限の落下距離で停止する。
【００１４】
従来では、作業が終了し、地上に降りた作業者は、安全帯の連結用リングより係止具10を外し、引き寄せロープを掴んで滑らせながらベルト２をベルト巻取機６に収納するのであるが、この時、ロープを放してしまいベルト２が跳ねて係止具10がカバー１に激突して損傷したり、ベルト２がカバー１の開口部縁11に擦れて摩耗していたが、本願のベルト巻取機６であれば、引き寄せロープから手を放してもゆるやかに巻き戻されて、カバー１・ベルト２・係止具10の損傷が防止できる。
【００１５】
なお、前記は、作業終了時の場合であるが、作業開始時に引き寄せロープを引っ張ってベルト２先端の係止具10を手元に引き寄せる時に、誤って手を放してしまっても前記と同様、ゆるやかに巻き戻されて、カバー１・ベルト２・係止具10の損傷が防止できる。
【図面の簡単な説明】
【００１６】
【図１】本願ベルト巻取機の一部切欠したところの正面図。
【図２】本願ベルト巻取機の断面図。
【図３】本願ベルト巻取機を取付けた墜落防止装置の正面図。
【図４】本願ベルト巻取機を取付けた墜落防止装置の左側面図。
【符号の説明】
【００１７】
１  カバー
２  ベルト
３  ドラム
４  巻取バネ
５  ストッパー
６  ベルト巻取機
７  ライニング
８  ブレーキシュー
９  リング
10  係止具
11  開口部縁
31  係止爪
41  バネケース
81  軸
91  内側面
Ｈ  移動部材
Ｒ  水平レール
【図１】
2006280739.tif 000003
【図２】
2006280739.tif 000004
【図３】
2006280739.tif 000005
【図４】
2006280739.tif 000006